(57)【要約】      （修正有）【課題】収納及び持ち運びが容易なペット用遊具を提供する。【解決手段】ペット用遊具１は、螺旋状に巻かれた帯状体１０の対向する側縁部が互いに縫合されて筒状に形成されている。筒状に形成されたペット用遊具１の中に入って遊ぶことができる。また、ペット用遊具１の内側及び外側の表面には、帯状体１０の側縁部によって段差が形成されている。この段差にペットの爪が引っ掛かり易く、ペット用遊具１を捕らえてじゃれることやペット用遊具１の内部に進入することが容易になる。また、帯状体１０が螺旋状に巻かれることにより、筒状体２は潰れ難く筒状の形態を維持し易くなり、ペットが筒状体２の中に入り易くなる。また、柔軟で折り曲げ可能な帯状体１０を利用できるようになり、ペット用遊具１を小さく折り畳むことができるようになる。これにより、ペット用遊具１の収納や携行が容易になる。【選択図】図１
2019004805.tif 000002
【特許請求の範囲】
【請求項１】
螺旋状に巻かれた帯状体の対向する側縁部が互いに縫合されて筒状に形成されていることを特徴とするペット用遊具。
【請求項２】
前記帯状体から形成された筒状体の開口部近傍の外周に巻かれて前記筒状体に縫合された他の帯状体によって形成され前記筒状体の長手方向の中央側に開口する収納部を有し、
前記筒状体は、折り畳まれて一部が前記収納部に挿入されることを特徴とする請求項１に記載のペット用遊具。
【請求項３】
前記他の帯状体が前記筒状体の外周から離れて環状に形成された装飾部が設けられていることを特徴とする請求項２に記載のペット用遊具。
【請求項４】
前記帯状体の長手方向の端部近傍が複数の糸状に裂かれて形成された装飾部が設けられていることを特徴とする請求項１ないし請求項３の何れか１項に記載のペット用遊具。
【請求項５】
前記帯状体は、車両用シートベルトのウェビングから成ることを特徴とする請求項１ないし請求項４の何れか１項に記載のペット用遊具。
【発明の詳細な説明】
【技術分野】
【０００１】
本発明は、猫、犬、その他のペットを遊ばせるためのペット用遊具に関する。
【背景技術】
【０００２】
従来、猫等のペットを遊ばせるための遊具が知られている。例えば、特許文献１には、床面に設置される支持板と、複数本の支柱と、それら支柱に支持される棚板及びベッド部と、を有し、支持板、支柱、棚板及びベッド部を自在形状に組立可能な猫用遊具が開示されている。同文献の猫用遊具では、猫は、支柱を昇り降りし、棚板やベッド部を行き来して、自由に遊んだり休息したりする。
【０００３】
一方、自動車等の車両等には、衝突時に乗員を傷害から防護し、または傷害を軽減するために、シートベルトが装備されている。これらシートベルトに用いられるウェビングは、例えば、特許文献２に開示されているように、合成樹脂製の繊維材料から織製されて略帯状に形成されており、柔軟であると共に、衝突時の衝撃に耐え得る所定の強度と耐久性を有している。
【先行技術文献】
【特許文献】
【０００４】
【特許文献１】特開２０１２−１１５１４９号公報
【特許文献２】特開２０１５−１６７３６号公報
【発明の概要】
【発明が解決しようとする課題】
【０００５】
しかしながら、特許文献１に開示された従来技術のように、床面に設置される組立式のペット用遊具は、設置時のサイズが大きく、組み立てや分解が煩雑で、構成部品も比較的大きく、持ち運びが容易ではないという問題点があった。
【０００６】
一方、前述のとおり、シートベルトのウェビングは、柔軟で優れた強度及び耐久性を有する。しかしながら、従来、廃車を解体した後に取り外されたウェビングは、有効に再利用されることなく、焼却処分されていた。
【０００７】
本発明は、上記の事情に鑑みてなされたものであり、その目的とするところは、小型で収納や持ち運びが容易なペット用遊具を提供することにある。
【０００８】
また、本発明の他の目的は、廃車から取り外された使用済みシートベルトのウェビングを有効に再利用して、柔軟で強度及び耐久性に優れるペット用遊具を提供することにある。
【課題を解決するための手段】
【０００９】
本発明のペット用遊具は、螺旋状に巻かれた帯状体の対向する側縁部が互いに縫合されて筒状に形成されていることを特徴とする。
【発明の効果】
【００１０】
本発明のペット用遊具によれば、螺旋状に巻かれた帯状体の対向する側縁部が互いに縫合されて筒状に形成されている。これにより、猫等のペットは、筒状に形成されたペット用遊具の内部に入って遊ぶことができる。
【００１１】
また、帯状体が螺旋状に巻かれてペット用遊具となる筒状体が形成されることにより、ペット用遊具の内側及び外側の表面には、帯状体の側縁部によって段差が形成されている。この段差に猫等の爪が引っ掛かり易く、これにより、猫等がペット用遊具を捕らえてじゃれることやペット用遊具の内部に進入することが容易になる。
【００１２】
また、帯状体が螺旋状に巻かれて筒状体が形成されることにより、柔軟な帯状体を利用しても、筒状の形態を維持し易くなる。即ち、筒状体を潰れ難くして両端の開口を開いた状態に維持することができる。これにより、猫等が筒状体の中に入り易くなる。
【００１３】
また、上記のとおり、帯状体が螺旋状に巻かれた構成により形態安定性が得られるので、柔軟で折り曲げ可能な帯状体を利用できるようになる。その結果、ペット用遊具を小さく折り畳むことができるようになる。これにより、ペット用遊具の収納や携行が容易になる。
【００１４】
また、本発明のペット用遊具によれば、帯状体から形成された筒状体の開口部近傍の外周に巻かれて筒状体に縫合された他の帯状体によって形成され筒状体の長手方向の中央側に開口する収納部を有し、筒状体は、折り畳まれて一部が収納部に挿入されても良い。これにより、ペット用遊具を小さく折り畳んだ状態で保持することができ、鞄等に入れて持ち運ぶことができる。また、ペット用遊具の収納性も向上する。
【００１５】
また、本発明のペット用遊具によれば、他の帯状体が筒状体の外周から離れて環状に形成された装飾部が設けられても良い。これにより、ペット用遊具の意匠性を高めることができると共に、猫等の興味を引くことができる。
【００１６】
また、本発明のペット用遊具によれば、帯状体の長手方向の端部近傍が複数の糸状に裂かれて形成された装飾部が設けられても良い。これにより、糸状に裂かれて尻尾のようにふさふさとした装飾部を揺らすことにより、猫を誘い、じゃらすことができる。
【００１７】
また、本発明のペット用遊具によれば、帯状体は、車両用シートベルトのウェビングから形成されても良い。これにより、廃車から取り外された使用済みシートベルトのウェビングを有効に再利用して、柔軟で強度及び耐久性に優れるペット用遊具を形成することができる。
【図面の簡単な説明】
【００１８】
【図１】本発明の実施形態に係るペット用遊具の概略を示す透視図である。
【図２】本発明の実施形態に係るペット用遊具の開口部近傍の縦断面図である。
【図３】本発明の実施形態に係るペット用遊具の装飾部の（Ａ）折り曲げられていない状態、（Ｂ）折り曲げられた状態、を示す透視図である。
【図４】本発明の実施形態に係るペット用遊具の（Ａ）潰された状態、（Ｂ）一部が折り曲げられた状態、（Ｃ）折り畳まれた状態、を示す透視図である。
【発明を実施するための形態】
【００１９】
以下、本発明の実施形態に係るペット用遊具を図面に基づき詳細に説明する。
図１は、本発明の実施形態に係るペット用遊具１の概略を示す透視図である。図１に示すように、ペット用遊具１は、その本体を構成する略筒状の筒状体２を有する。筒状体２は、帯状体１０が螺旋状に巻かれて縫合されることにより形成されており、筒状体２の両端部には、筒状体２の内部と外部を連通するよう開口する開口部３が形成されている。
【００２０】
ペット用遊具１は、猫等のペットが捕らえてじゃれたり、中に入ったりして遊ぶものである。ペット用遊具１は、猫、犬、ハムスター、モルモット、リス、フェレット等、各種のペットに使用できる。以下、ペットの例として猫を挙げて説明する。
【００２１】
ペット用遊具１の大きさは、ペットの種類に応じて適宜設定し得る。例えば、猫用の場合には、筒状体２の長さは、猫が捕らえ易いように約２０ｃｍから５０ｃｍが良い。また、筒状体２の直径及び開口部３の直径は、略同一であり、猫用の場合には、猫が入り易い大きさに形成され、約１５ｃｍから３０ｃｍである。
【００２２】
筒状体２の一方の開口部３ａ近傍の外周には、ペット用遊具を折り畳んで収納する際に利用する収納部と、猫の耳のような形態の一対の装飾部１４が形成されている。これらの詳細については、後述する。
【００２３】
筒状体２の他方の開口部３ｂ近傍の外周には、猫の尻尾状に形成された装飾部１１が設けられている。なお、以下の説明では、適宜、開口部３ａ側を「前」、開口部３ｂ側を「後」と言う。
【００２４】
筒状体２の後部に設けられる装飾部１１は、筒状体２を形成する帯状体１０の端部を糸状に裂くことにより形成されている。具体的には、後述するように帯状体１０が車両用シートベルトのウェビングによって形成される場合、帯状体１０の端部から長手方向に数カ所の切り込みを入れることにより端部の糸を容易に解くことができる。そして、糸状に解かれた帯状体１０の端部を紐等によって束ねることにより、尻尾状の装飾部１１が形成される。
【００２５】
なお、後方の帯状体１０が外側になるように帯状体１０が巻かれることにより、開口部３ｂ側の帯状体１０の端部は、筒状体２の後端部近傍の外周側に位置するようになる。そのため、帯状体１０の後端部近傍を略９０度の角度で折り曲げて縫合部２１で縫合し、糸状に解かれた帯状体１０の端部近傍を束ねて立ち上げることにより、装飾部１１は、筒状体２の後端近傍から後方斜め上を向くように固定される。これにより、装飾部１１を猫の尻尾のように立たせることができる。このように糸状に裂かれて尻尾のようにふさふさとした装飾部１１を揺らすことにより、猫を誘い、じゃらすことができる。
【００２６】
図２は、ペット用遊具１の開口部３ａ近傍の縦断面図である。前述のとおり、筒状体２は、螺旋状に巻かれた帯状体１０から形成されており、具体的には、図２に示すように、帯状体１０の対向する側縁部が重ね合わされ、縫合部２０において、互いに縫合されている。これにより、筒状体２を潰れ難くして円筒状の形状を維持し易くなる。そのため、ペット用遊具１が載置された際に、筒状体２の開口部３を開いた状態にすることができ、猫が筒状体２の内部に入り易くなる。
【００２７】
螺旋状に巻かれた帯状体１０の側縁部が重なり合うことにより、筒状体２の内側及び外側の表面には、帯状体の側縁部によって段差が形成されている。この段差に猫の爪が引っ掛かり易く、これにより、猫がペット用遊具を捕らえてじゃれることやペット用遊具の内部に進入することが容易になる。
【００２８】
また、ペット用遊具１前部の外周、即ち筒状体２の開口部３ａ近傍の外周には、帯状体１２が巻かれている。帯状体１２の前方側の側縁部は、縫合部２２において、筒状体２に縫合されて固定されている。帯状体１２の後方側の側縁部は、筒状体２に縫合されておらず、これにより、帯状体１２と筒状体２とによって挟まれて、帯状体１２の長手方向の中央側に開口する収納部１３が形成されている。
【００２９】
帯状体１０及び帯状体１２としては、ポリエステルやポリアミド等の合成樹脂繊維等から成る織物その他帯状の形態を成す種々の素材を用いることができる。例えば、帯状体１０及び帯状体１２は、車両用シートベルトのウェビングから形成されても良い。車両用シートベルトのウェビングは、筒状体２の形状を円筒状に保持するために好適な硬さと張りを有する。また、車両用シートベルトのウェビングは、柔軟で取り扱いが容易であるため、ペット用遊具１を折り畳むことができる。また、車両用シートベルトのウェビングは、優れた強度及び耐久性を有するので、猫の爪等によって引っ掻かれても破れることなく十分に耐えることができる。
【００３０】
具体的には、自動車用シートベルトのウェビングを用いた帯状体１０及び帯状体１２は、ＪＩＳ  Ｄ  ４６０４の規格に適合する引張強さ、伸び率、エネルギー吸収率を有すると共に、同規格に適合する耐摩耗性、耐寒性、耐水性等の優れた耐劣化性能を有するものとなる。なお、帯状体１０及び帯状体１２に用いられる車両用シートベルトのウェビングは、前記の自動車用シートベルトのウェビングに限定されず、鉄道車両用や船舶用または航空機用のシートベルト等のウェビングであっても良い。
【００３１】
また、帯状体１０及び帯状体１２は、廃車から取り外された使用済みシートベルトのウェビングから形成されても良い。これにより、従来は廃棄処分されていた使用済みシートベルトのウェビングを有効に再利用して、ペット用遊具１を形成することができる。
【００３２】
また、筒状体２を形成する帯状体１０は、連続する１本の帯状素材から形成されても良いし、所定長さの帯状素材を長手方向に複数本連結することにより形成されても良い。例えば、長さ約２ｍの帯状素材を２本を用いて、それぞれの端部近傍を互いに重ね合わせて縫合することにより連結し、長さ約４ｍの帯状体１０が形成されても良い。このように複数本の帯状素材を連結することにより形成される帯状体１０の構成は、使用済みシートベルトのウェビングを再利用する場合に特に好適である。
【００３３】
帯状素材の長さは、特に限定されるものではないが、例えば、１．８ｍから２．２ｍが好適であり、帯状素材は、それぞれ略同じ長さであることが望ましい。略同一長さの帯状素材を使用することにより、ペット用遊具１の寸法及び意匠を容易に揃えることができる。
【００３４】
また、ペット用遊具１の帯状体１０または帯状体１２には、香りが付けられても良い。例えば、帯状体１０または帯状体１２は、洗浄された後、マタタビ等の香り成分等が浸出された水またはお湯に浸漬されても良い。これにより、ペット用遊具１に猫の好む香りを付けることができ、猫を惹きつけることができる。
【００３５】
図３（Ａ）は、筒状体２の前部の装飾部１４近傍を後方から見た透視図であり、装飾部１４が折り曲げられていない状態を示している。図３（Ｂ）は、装飾部１４近傍を斜め前方から見た透視図であり、装飾部１４が折り曲げられている状態を示している。
【００３６】
図３（Ａ）に示すように、装飾部１４は、筒状体２の前端近傍上部に２つ形成されている。装飾部１４は、帯状体１２が筒状体２の外周から離れて略環状に形成されている。装飾部１４の後側の根元部１７において、帯状体１２の側縁部近傍の内面は接するように重ね合わされ、縫合部２３において縫合されている。
【００３７】
装飾部１４は、装飾部１４の後側の上端部である角部１５が、略環状に形成された装飾部１４の内側に入り込むように、前方に向かって折り返されることにより、図３（Ｂ）に示すような形状になる。
【００３８】
即ち、図３（Ｂ）に示す如く、角部１５が折り返されて装飾部１４の内側に挿入されることにより、装飾部１４の前側の根元部１６は、左右方向に僅かに押し広げられる。なお、装飾部１４の後方の根元部１７（図３（Ａ）参照）は、前述のように、縫合部２３によって固定されているため、左右に広がらない。これにより、装飾部１４は、猫の耳のような形状になる。
【００３９】
上記のように、前部に猫の耳状に形成される装飾部１４が設けられ、図１に示す如く、後部に猫の尻尾状に形成される装飾部１１が設けられることにより、ペット用遊具１は、全体として猫を連想させる形態になる。これにより、ペット用遊具１の意匠性を高めることができる共に、猫の興味を引き易くなる。
【００４０】
また、図３（Ａ）及び（Ｂ）に示すように、一対の装飾部１４の間には、装飾部１８が設けられている。装飾部１８は、例えば、帯状体１０や帯状体１２とは色調が異なる布等であり、図２に示す如く、開口部３ａの縁部及び帯状体１２の側縁部を覆うように設けられ、縫合部２２によって縫合されている。装飾部１８が設けられることにより、意匠的な効果が得られると共に、ペット用遊具１を使用する際の位置決めになる目印的な効果が得られる。
【００４１】
なお、ペット用遊具１には、装飾部１１、１４、１８の他にも、意匠性を高めるために、または猫を誘うために、各種の装飾等が設けられても良い。例えば、筒状体２の表面に各種の模様やロゴ等が描かれても良いし、筒状体２に鈴やボール等が取り付けられても良い。
【００４２】
上記のように構成されたペット用遊具１の使い方は様々である。前述のとおり、猫が筒状体２の内部に入って遊んでも良いし、ペット用遊具１にじゃれても良い。飼い主は、ペット用遊具１を持って動かして猫を誘ったり、ペット用遊具１を放り投げて猫の興味を引いたりすることもできる。また、猫は、筒状体２の中に入って休息することもでき、飼い主は、猫が中に入った状態でペット用遊具１を持ち運ぶこともできる。つまり、ペット用遊具１を猫用のハウスやバッグ等として使用することも可能である。
【００４３】
次に、図４（Ａ）ないし（Ｃ）を参照して、ペット用遊具１の収納方法について詳細に説明する。図４（Ａ）は、ペット用遊具１が潰された状態を示す透視図である。図４（Ｂ）は、ペット用遊具１の一部が折り曲げられた状態を示す透視図である。図４（Ｃ）は、ペット用遊具１が折り畳まれた状態を示す透視図である。
【００４４】
図４（Ａ）に示すように、初めに、ペット用遊具１は、装飾部１８が上方に位置するように載置されて上下方向に潰される。そして、ペット用遊具１は、筒状体２の後端から全長の約１／３の位置（折り曲げ位置Ｘ）において折り曲げられ、後端側が前方に向かって折り返される。これにより、ペット用遊具１は、図４（Ｂ）に示すように、折り曲げられて、全長の約２／３の長さになる。
【００４５】
次に、ペット用遊具１は、筒状体２の前端から全長の約１／３の位置（折り曲げ位置Ｙ）において折り曲げられ、後端側が前方に向かって折り返されて、最初に折り曲げられた折曲部２ａが、図４（Ｃ）に示すように、収納部１３に挿入される。
【００４６】
これにより、ペット用遊具１は、折り畳まれた筒状体２の一部が収納部１３によって挟まれて固定されるため、元の状態に戻ることが抑えられ、小さく折り畳まれた収納状態に保持される。この収納状態において、ペット用遊具１を鞄等に入れて持ち運ぶことができる。なお、収納状態において、筒状体２の後部に設けられた尻尾状の装飾部１１は、折り畳まれた筒状体２の内部に挟まれて外部に露出しない。そのため、収納時や持ち運び時等に、装飾部１１は邪魔にならず絡まる等の問題も生じない。
【００４７】
また、装飾部１４は、角部１５が後方に押し戻されて、折り曲げられていない状態に戻されてから、横方向に折り畳まれても良い。これにより、ペット用遊具１全体を薄く小さくすることができ、ペット用遊具１の収納性及び携帯性が高められる。
また、ペット用遊具１には、携行する際にペット用遊具１を持ち易くするためのストラップ等が取り付けられても良い。
【００４８】
ペット用遊具１を使用する場合には、収納部１３から筒状体２を引き出すことにより、容易に元の使用状態に戻すことができる。即ち、収納部１３に挿入されていた筒状体２の一部を収納部１３から引き出して、折り曲げられていた箇所を展開して筒状体２を略筒状に戻し、装飾部１４を折り曲げて耳状にすれば良い。
【００４９】
なお、本発明は、上記の実施形態に限定されるものではなく、その他、本発明の要旨を逸脱しない範囲で、種々の変更実施が可能である。
【符号の説明】
【００５０】
１      ペット用遊具
２      筒状体
３、３ａ、３ｂ  開口部
１０    帯状体
１１    装飾部
１２    帯状体
１３    収納部
１４    装飾部
１５    角部
１６    装飾部
２０、２１、２２、２３  縫合部
【図１】
2019004805.tif 000003
【図２】
2019004805.tif 000004
【図３】
2019004805.tif 000005
【図４】
2019004805.tif 000006